(57)【要約】【課題】収容したワイヤハーネスを近傍で確実に屈曲させることができるプロテクタ及び該プロテクタを備えた電気接続箱を提供する。【解決手段】電気接続箱１は箱本体とプロテクタ３を備えている。箱本体にはワイヤハーネスの端末が取り付けられる。プロテクタ３は第１固定部１２と第２固定部１３とを一体に備えている。第１固定部１２は樋状に形成されワイヤハーネスを収容する。第１固定部１２はテープによりワイヤハーネスと固定される。第２固定部１３は板状に形成され表面上にワイヤハーネスを位置付ける。第２固定部１３は結束バンドによりワイヤハーネスと固定される。【選択図】図２
2006166621.tif 000002
【特許請求の範囲】
【請求項１】
樋状に形成されかつ内側にワイヤハーネスを収容するとともに、該ワイヤハーネスと固定される第１固定部と、
前記第１固定部に連なり、かつ板状に形成されているとともに、表面上に前記ワイヤハーネスが位置付けられて、該ワイヤハーネスと固定される第２固定部と、
を一体に備えたことを特徴とするプロテクタ。
【請求項２】
前記第１固定部は、樋状に形成された固定部本体と、ヒンジを介して回転自在に前記固定部本体に取り付けられた蓋体と、を備えたことを特徴とする請求項１記載のプロテクタ。
【請求項３】
筒状に形成されかつ内側にワイヤハーネスを収容するとともに、該ワイヤハーネスと固定される第１固定部と、
前記第１固定部に連なり、かつ板状に形成されているとともに、表面上に前記ワイヤハーネスが位置付けられて、該ワイヤハーネスと固定される第２固定部と、
を一体に備えたことを特徴とするプロテクタ。
【請求項４】
前記第２固定部は、
板状に形成された第２固定部本体と、
前記第２固定部本体に取り付けられ、かつ前記第２固定本体に前記ワイヤハーネスを結束する結束バンドと、
を備えたことを特徴とする請求項１ないし請求項３のうちいずれか一項に記載のプロテクタ。
【請求項５】
前記第２固定部本体には、前記結束バンドを通す一対の孔が、前記ワイヤハーネスの長手方向に交差する方向に沿って互いに間隔をあけて配されていることを特徴とする請求項４記載のプロテクタ。
【請求項６】
前記ワイヤハーネスには、該ワイヤハーネスが屈曲される屈曲部が形成されており、
前記第２固定部が、前記屈曲部の近傍に配されていることを特徴とする請求項１ないし請求項５のうちいずれか一項に記載のプロテクタ。
【請求項７】
電気部品が装着される箱本体と、
請求項１ないし請求項６のうちいずれか一項に記載のプロテクタと、を備えことを特徴とする電気接続箱。
【発明の詳細な説明】
【技術分野】
【０００１】
本発明は、移動体としての自動車などに搭載されるワイヤハーネスを保護するプロテクタ及び該プロテクタを備えた電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照。）と呼ぶ。
【０００５】
前述した特許文献１に示された電気接続箱は、外郭を形成する箱本体と、配線盤などを備えている。箱本体の例えば上面には、前述したリレー、ヒューズやヒュージブルリンクなどの電気部品が装着される装着部が複数設けられている。また、箱本体の例えば下面には、前述した自動車に配索されるワイヤハーネスのコネクタが嵌合する。
【０００６】
ワイヤハーネスは、複数の電線と、該電線の端部などに取り付けられたコネクタとを備えている。コネクタは、前述した自動車に搭載される各種の電子機器や前述した箱本体に嵌合する。
【０００７】
前述した配線盤は、箱本体内に収容される。配線盤は、前述した装着部に装着される各種の電気部品と、ワイヤハーネスのコネクタの端子とを予め定められたパターンにしたがって接続する。
【０００８】
さらに、前述した特許文献１に示された電気接続箱は、前述したワイヤハーネスを収容するプロテクタを備えている。なお、特許文献１の図示例では、プロテクタは、箱本体と一体に形成されているとともに、該箱本体から外方向に延びている。プロテクタは、樋状に形成されている。プロテクタは、ワイヤハーネスを収容し、外周にテープなどが巻かれるなどして、該ワイヤハーネスと固定される。プロテクタは、前述したワイヤハーネスを位置決めするとともに、該ワイヤハーネスに異物が接触することを防止して該ワイヤハーネスを保護している。
【０００９】
前述した電気接続箱は、各装着部に所望の電気部品を装着し、ワイヤハーネスのコネクタを箱本体の下面に嵌合する。こうして、前述した電気接続箱が組み立てられる。そして、電気接続箱は、電源などから供給される電源からの電力を、ヒュージブルリンク、ワイヤハーネスの電線などを介して前述した電子機器に供給する。
【特許文献１】特開平１０−２５７６３７号公報
【発明の開示】
【発明が解決しようとする課題】
【００１０】
前述した従来の電気接続箱では、前記プロテクタと箱本体との境又はプロテクタの外縁部で前述したワイヤハーネスを屈曲することがある。このとき、前述したプロテクタが樋状に形成されているので、ワイヤハーネスを構成する複数の電線が、前述した境及び外縁部では、該ワイヤハーネスが断面丸形となるように束ねられている。このため、プロテクタは、前述した境及び外縁部でワイヤハーネスを屈曲することが困難であった。
【００１１】
したがって、本発明の目的は、収容したワイヤハーネスを近傍で確実に屈曲させることができるプロテクタ及び該プロテクタを備えた電気接続箱を提供することにある。
【課題を解決するための手段】
【００１２】
前記課題を解決し目的を達成するために、請求項１に記載の本発明のプロテクタは、樋状に形成されかつ内側にワイヤハーネスを収容するとともに、該ワイヤハーネスと固定される第１固定部と、前記第１固定部に連なり、かつ板状に形成されているとともに、表面上に前記ワイヤハーネスが位置付けられて、該ワイヤハーネスと固定される第２固定部と、を一体に備えたことを特徴としている。
【００１３】
請求項２に記載の本発明のプロテクタは、請求項１記載のプロテクタにおいて、前記第１固定部は、樋状に形成された固定部本体と、ヒンジを介して回転自在に前記固定部本体に取り付けられた蓋体と、を備えたことを特徴としている。
【００１４】
請求項３に記載の本発明のプロテクタは、筒状に形成されかつ内側にワイヤハーネスを収容するとともに、該ワイヤハーネスと固定される第１固定部と、前記第１固定部に連なり、かつ板状に形成されているとともに、表面上に前記ワイヤハーネスが位置付けられて、該ワイヤハーネスと固定される第２固定部と、を一体に備えたことを特徴としている。
【００１５】
請求項４に記載の本発明のプロテクタは、請求項１ないし請求項３のうちいずれか一項に記載のプロテクタにおいて、前記第２固定部は、板状に形成された第２固定部本体と、前記第２固定部本体に取り付けられ、かつ前記第２固定本体に前記ワイヤハーネスを結束する結束バンドと、を備えたことを特徴としている。
【００１６】
請求項５に記載の本発明のプロテクタは、請求項４記載のプロテクタにおいて、前記第２固定部本体には、前記結束バンドを通す一対の孔が、前記ワイヤハーネスの長手方向に交差する方向に沿って互いに間隔をあけて配されていることを特徴としている。
【００１７】
請求項６に記載の本発明のプロテクタは、請求項１ないし請求項５のうちいずれか一項に記載のプロテクタにおいて、前記ワイヤハーネスには、該ワイヤハーネスが屈曲される屈曲部が形成されており、前記第２固定部が、前記屈曲部の近傍に配されていることを特徴としている。
【００１８】
請求項７に記載の本発明の電気接続箱は、電気部品が装着される箱本体と、請求項１ないし請求項６のうちいずれか一項に記載のプロテクタと、を備えことを特徴としている。
【００１９】
請求項１に記載した本発明のプロテクタによれば、第２固定部が板状に形成されているので、ワイヤハーネスが、第２固定部では、平板状の第２固定部上に位置付けられて、扁平な形状をなす。このため、第２固定部の近傍でワイヤハーネスを容易に屈曲することができる。
【００２０】
請求項２に記載した本発明のプロテクタによれば、第１固定部が蓋体を備えているので、蓋体とプロテクタ本体とでワイヤハーネスを覆うことができる。
【００２１】
請求項３に記載した本発明のプロテクタによれば、第２固定部が板状に形成されているので、ワイヤハーネスが、第２固定部では、平板状の第２固定部上に位置付けられて、扁平な形状をなす。
【００２２】
さらに、第１固定部が筒状に形成されているので、該第１固定部でワイヤハーネスを覆うことができる。
【００２３】
請求項４に記載した本発明のプロテクタによれば、第２固定部が結束バンドを備えているので、該第２固定部に確実にワイヤハーネスを固定することができる。
【００２４】
請求項５に記載した本発明のプロテクタによれば、ワイヤハーネスの長手方向に交差する方向に沿って互いに間隔をあけた一対の孔内に結束バンドを通すので、該結束バンドを第２固定部本体に取り付けることができる。さらに、結束バンドでワイヤハーネスを第２固定部に確実に固定できる。
【００２５】
請求項６に記載した本発明のプロテクタによれば、第２固定部がワイヤハーネスの屈曲部の近傍に配されているので、該屈曲部で、ワイヤハーネスが扁平になり、該ワイヤハーネスを確実に屈曲できる。
【００２６】
請求項７に記載した本発明の電気接続箱によれば、請求項１ないし請求項７のうちいずれかに記載のプロテクタを備えたので、第２固定部の近傍でワイヤハーネスを確実に屈曲できる。
【発明の効果】
【００２７】
以上説明したように請求項１に記載の本発明は、第２固定部の近傍でワイヤハーネスを容易に屈曲することができるので、収容したワイヤハーネスを近傍で確実に屈曲させることができる。
【００２８】
請求項２に記載の本発明は、第１固定部が蓋体を備えているので、蓋体とプロテクタ本体とでワイヤハーネスを覆うことができる。したがって、ワイヤハーネスに異物などが接触して該ワイヤハーネスが不意に破損することを防止できる。
【００２９】
請求項３に記載の本発明は、第２固定部ではワイヤハーネスが扁平な形状をなすので、第２固定部の近傍でワイヤハーネスを容易に屈曲でき、収容したワイヤハーネスを近傍でより確実に屈曲させることができる。
【００３０】
さらに、第１固定部でワイヤハーネスを覆うことができる。したがって、ワイヤハーネスに異物などが接触して該ワイヤハーネスが不意に破損することを防止できる。
【００３１】
請求項４に記載の本発明は、第２固定部が結束バンドを備えているので、該第２固定部に確実にワイヤハーネスを固定することができる。
【００３２】
請求項５に記載の本発明は、結束バンドを第２固定部本体に取り付けることができ、結束バンドでワイヤハーネスを第２固定部に確実に固定できる。
【００３３】
請求項６に記載の本発明は、第２固定部がワイヤハーネスの屈曲部の近傍に配されているので、該屈曲部で、ワイヤハーネスが扁平になり、該ワイヤハーネスを確実に屈曲できる。
【００３４】
請求項７に記載の本発明は、請求項１ないし請求項７のうちいずれかに記載のプロテクタを備えたので、プロテクタの第２固定部の近傍でワイヤハーネスを確実に屈曲できる。
【発明を実施するための最良の形態】
【００３５】
以下、本発明の第１の実施形態にかかるプロテクタ及び該プロテクタを備えた電気接続箱を、図１ないし図５に基づいて説明する。
【００３６】
本実施形態にかかる図１に示す電気接続箱１は、移動体としての自動車に搭載される。電気接続箱１は、図１に示すように、箱本体２と、図示しない配線盤と、プロテクタ３
などを備えている。箱本体２は、絶縁性の合成樹脂からなり、周知の射出成形により成形される。箱本体２は、複数の外壁４により、筒状（箱状）に形成されている。
【００３７】
また、箱本体２の図１中の上方に位置する上面（表面に相当する）２ａには、リレー５及びヒューズ６などの電気部品が装着される装着部８が複数設けられている。さらに、箱本体２の上面２ａには、前述した自動車に配索されるワイヤハーネス７（図１中に二点鎖線で示す）のコネクタが嵌合するコネクタ９が設けられている。
【００３８】
また、箱本体２の図１の奥側に位置する図示しない下面には、前述した自動車に配索され、かつ前述したワイヤハーネス７と別体の図示しない第２ワイヤハーネスのコネクタが嵌合する。ワイヤハーネス７及び第２ワイヤハーネスは、複数の電線と、該電線の端末などに取り付けられたコネクタとを備えている。コネクタは、前述した自動車に搭載される各種の電子機器や、前述した箱本体２に嵌合する。
【００３９】
さらに、前述した箱本体２の複数の外壁４のうち図１中手前側に位置する一つの外壁４には、凹溝１０が設けられている。凹溝１０は、前述した外壁４から凹に形成されており、前述した上面２ａと下面との双方に直交（交差）する方向に沿って、直線状に延びている。凹溝１０は、前述したワイヤハーネス７を収容する。
【００４０】
前述したワイヤハーネス７は、その端末が下面側から前記凹溝１０内に通されて、プロテクタ３に後述するように固定された後、上面２ａのコネクタ９に、そのコネクタが嵌合するなどして、上面２ａに端末が取り付けられる。このため、ワイヤハーネス７は、前述したプロテクタ３の近傍で屈曲されている。これにより、プロテクタ３の近傍に、ワイヤハーネス７が屈曲した屈曲部１１が形成されている。
【００４１】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００４２】
配線盤は、箱本体２内に収容される。配線盤は、箱本体２内に収容されると、バスバが第２ワイヤハーネスのコネクタと、装着部８に装着されたリレー５、ヒューズ６などの電気部品及びワイヤハーネス７のコネクタとを予め定められたパターンにしたがって、互いに電気的に接続する。
【００４３】
プロテクタ３は、絶縁性の合成樹脂からなり、図２及び図３に示すように、第１固定部１２と、第２固定部１３とを一体に備えている。
【００４４】
第１固定部１２は、図５に示すように、断面円弧状の樋状に形成されかつ内側に前述したワイヤハーネス７（図５中に二点鎖線で示す）を収容する固定部本体１４を備えている。即ち、第１固定部１２は、樋状に形成されている。第１固定部１２の固定部本体１４は、その開口部が凹溝１０の底面に相対している。第１固定部１２は、ワイヤハーネス７とともに外周にテープ１５（図５中に一点鎖線で示す）が巻かれて、該ワイヤハーネス７と固定される。
【００４５】
第２固定部１３は、第１固定部１２のワイヤハーネス７の長手方向の一端に連なっている。第２固定部１３は、第１固定部１２より上面２ａ側即ち屈曲部１１寄りに配されている。また、前述したワイヤハーネス７が上面２ａに端末が取り付けられるため、第２固定部１３のすぐ近くに屈曲部１１が形成されている（第２固定部１３が屈曲部１１の近傍に配されている）。
【００４６】
第２固定部１３は、図４に示すように、板状の第２固定部本体１６と、結束バンド１７（図４中に一点鎖線で示す）を備えている。第２固定部本体１６は、ワイヤハーネス７の長手方向に直交（交差）する方向に沿って互いに間隔をあけて配された一対の連結板部１８と、これらの連結板部１８間に配された収容板部１９とを備えている。
【００４７】
一対の連結板部１８は、それぞれ平板状に形成され、互いに両表面が同一平面上に位置している。一対の連結板部１８は、前述した凹溝１０のワイヤハーネス７の長手方向に直交する方向に沿って互いに相対する内面に連なっている。即ち、プロテクタ３は、図示例では、箱本体２と一体である。
【００４８】
収容板部１９は、平板状に形成され、両表面が前述した連結板部１８の両表面と並行に配されている。収容板部１９は、前述した連結板部１８との間に段差を形成して、該連結板部１８と連なっている。収容板部１９は、連結板部１８より箱本体２の外側に位置している。収容板部１９は、凹溝１０の底面との間即ち表面上に前述したワイヤハーネス７を位置付ける。
【００４９】
前述した第２固定部１３は、連結板部１８と収容板部１９とを備えて、板状に形成されている。また、連結板部１８には、それぞれ、孔２０が設けられている。このため、第２固定部１３には、ワイヤハーネス７の長手方向に対し交差（直交）する方向に沿って、互いに間隔をあけて配された一対の孔２０が設けられている。孔２０は、勿論、連結板部１８を貫通している。
【００５０】
孔２０は、それぞれ、前述した結束バンド１７を通す。一対の孔２０間の間隔Ｄ（図３に示す）は、前述した第１固定部１２のワイヤハーネス７の長手方向に直交する方向の幅Ｈ（図３に示す）の１．５倍以上である。なお、図示例では、一対の孔２０間の間隔Ｄは、第１固定部１２の幅Ｈの１．５倍となっている。
【００５１】
結束バンド１７は、帯状に形成されている。結束バンド１７は、前述した孔２０内に通されて、第２固定部１３の第２固定部本体１６に取り付けられる。結束バンド１７は、プロテクタ３の第２固定部１３の第２固定部本体１６にワイヤハーネス７を結束する。
【００５２】
第２固定部１３は、図４に示すように、収容板部１９の表面上にワイヤハーネス７を位置付けて、前記孔２０内に通された結束バンド１７により該ワイヤハーネス７と固定される。
【００５３】
前述した電気接続箱１は、以下のように組み立てられる。まず、箱本体２内に配線盤を収容し、箱本体２の上面２ａに設けられた装着部８にヒューズ６やリレー５などの電気部品を装着する。
【００５４】
そして、下面側からワイヤハーネス７の端末を前述した凹溝１０内に挿入し、該ワイヤハーネス７の端末を凹溝１０内を通して、箱本体２の上面２ａ側に位置付ける。そして、上面２ａ側でワイヤハーネス７を屈曲して、屈曲部１１を形成した後、該ワイヤハーネス７のコネクタを、前述した上面２ａに設けられたコネクタ９に嵌合する。
【００５５】
その後、第１固定部１２の固定部本体１４内にワイヤハーネス７を収容して、第１固定部１２の固定部本体１４とワイヤハーネス７の外周にテープ１５を巻いて、第１固定部１２にワイヤハーネス７を固定する。さらに、第２固定部１３の第２固定部本体１６の収容板部１９上にワイヤハーネス７を位置付けて、第２固定部１３の第２固定部本体１６とワイヤハーネス７とを結束バンド１７で結束して、第２固定部１３にワイヤハーネス７を固定する。
【００５６】
そして、電気接続箱１は、箱本体２の下面に第２ワイヤハーネスのコネクタを嵌合させる。こうして、前述した電気接続箱１は、組み立てられて、自動車に搭載される。そして、電気接続箱１は、自動車の電子機器と、ヒューズ６やリレー５などの電気部品などとを、予め定められたパターンにしたがって、互いに電気的に接続する。
【００５７】
本実施形態によれば、第２固定部１３が板状に形成されているので、第２固定部１３ではワイヤハーネス７を構成する電線が平板状の第２固定部１３上に位置付けられて、ワイヤハーネス７が扁平な形状をなす。このため、第２固定部１３の近傍でワイヤハーネス７を容易に屈曲することができる。したがって、プロテクタ３は、収容したワイヤハーネス７を近傍で確実に屈曲させることができる。
【００５８】
第２固定部１３が結束バンド１７を備えているので、該第２固定部１３に確実にワイヤハーネス７を固定することができる。
【００５９】
ワイヤハーネス７の長手方向に交差する方向に沿って互いに間隔をあけた一対の孔２０内に結束バンド１７を通すので、該結束バンド１７を第２固定部本体１６に取り付けることができる。したがって、結束バンド１７でワイヤハーネス７を第２固定部１３に確実に固定できる。第２固定部１３がワイヤハーネス７の屈曲部１１の近傍に配されているので、該屈曲部１１で、ワイヤハーネス７が扁平になり、該ワイヤハーネス７を確実に屈曲できる。
【００６０】
また、電気接続箱１は、前述したプロテクタ３を備えているので、プロテクタ３の第２固定部１３の近傍でワイヤハーネス７を確実に屈曲できる。
【００６１】
次に、本発明の第２の実施形態を、図６に基づいて説明する。なお、前述した第１の実施形態と同一部分には、同一符号を付して、説明を省略する。
【００６２】
本実施形態の電気接続箱１のプロテクタ３の第１固定部１２は、前述した固定部本体１４に加え、平板状の蓋体２１を備えている。蓋体２１の幅方向の一方の縁は、ヒンジ２２を介して固定部本体１４の幅方向の一方の縁と連結している。蓋体２１は、ヒンジ２２を中心として回転自在に前述した固定部本体１４に取り付けられている。
【００６３】
蓋体２１は、ヒンジ２２を中心として回転することで、第１固定部１２の固定部本体１４を開放する状態と、第１固定部１２の固定部本体１４の開口部を覆う状態とに亘って、変位自在である。また、本実施形態では、蓋体２１と固定部本体１４に、互いに係止する係止部２３と、係止受け部２４とを設けている。さらに、係止部２３と係止受け部２４とが互いに係止していない状態では、ヒンジ２２の弾性復元力により、前述した蓋体２１が、固定部本体１４を開放する。
【００６４】
本実施形態では、第１固定部１２にワイヤハーネス７を固定する際には、係止部２３を係止受け部２４に係止させずに、蓋体２１に第１固定部１２の固定部本体１４を開放させておく。そしてワイヤハーネス７の端末などを凹溝１０内に通した後、ヒンジ２２を中心として蓋体２１を回転して、係止部２３と係止受け部２４とを互いに係止させる。蓋体２１で固定部本体１４を閉じて、第１固定部１２内にワイヤハーネス７を収容する。そして、これら第１固定部１２とワイヤハーネス７の外周にテープ１５などを巻いて、第１固定部１２にワイヤハーネス７を固定する。
【００６５】
本実施形態によれば、前述した第１の実施形態の効果にくわえ、第１固定部１２が蓋体２１を備えているので、蓋体２１と固定部本体１４とでワイヤハーネス７を覆うことができる。したがって、ワイヤハーネス７に異物などが接触して該ワイヤハーネス７が不意に破損することを防止できる。
【００６６】
次に、本発明の第３の実施形態を、図７に基づいて説明する。なお、前述した第１の実施形態と同一部分には、同一符号を付して、説明を省略する。
【００６７】
本実施形態の電気接続箱１のプロテクタ３の第１固定部１２の固定部本体１４が、円筒状（筒状）に形成されている。即ち、本実施形態では、第１固定部１２は、円筒状（筒状）に形成されている。第１固定部１２の固定部本体１４は、内側にワイヤハーネス７を通して、該ワイヤハーネス７を収容する。
【００６８】
本実施形態では、そしてワイヤハーネス７の端末などを凹溝１０内に通す際に、第１固定部１２の固定部本体１４内に前述したワイヤハーネス７を通す。そして、これら第１固定部１２とワイヤハーネス７の外周にテープ１５などを巻いて、第１固定部１２にワイヤハーネス７を固定する。
【００６９】
本実施形態によれば、前述した第１の実施形態の効果にくわえ、第１固定部１２が円筒状（筒状）に形成されているので、該第１固定部１２でワイヤハーネス７を覆うことができる。したがって、ワイヤハーネス７に異物などが接触して該ワイヤハーネス７が不意に破損することを防止できる。
【００７０】
前述した第１及び第２の実施形態では、プロテクタ３の第１固定部１２の固定部本体１４は、断面円弧状に形成されている。さらに、第３の実施形態では、プロテクタ３の第１固定部１２の固定部本体１４は、円筒状に形成されている。
【００７１】
しかしながら、本発明では、プロテクタ３の第１固定部１２の固定部本体１４は、断面コ字形などの他の形状に形成されても良い。さらに、本発明では、プロテクタ３の第１固定部１２の固定部本体１４は、角筒状に形成されても良い。要するに、本発明では、プロテクタ３の第１固定部１２の固定部本体１４がワイヤハーネス７を収容すれば良い。こうすることで、第１固定部１２即ちプロテクタ３は、確実にワイヤハーネス７を位置決めして固定することができる。
【００７２】
また、本発明では、プロテクタ３は、電気接続箱１の箱本体２などに一体に形成されなくても良く、従来より周知のもののように単独でワイヤハーネス７を保護しても良い。さらに、プロテクタ３を電気接続箱１の箱本体２と別体にして、該箱本体２に着脱自在にしても良い。
【００７３】
さらに、本発明では、第２固定部１３に結束バンド１７を設けずに、第２固定部１３の第２固定部本体１６に結束バンド１７でワイヤハーネス７を結束しなくても良い。この場合、第１固定部１２と同様に、テープを巻くなどして、第２固定部１３にワイヤハーネス７を固定しても良い。
【００７４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７５】
【図１】本発明の第１の実施形態に係る電気接続箱の斜視図である。
【図２】図１に示された電気接続箱のプロテクタを示す斜視図である。
【図３】図２に示されたプロテクタなどの平面図である。
【図４】図３中のＩＶ−ＩＶ線に沿う断面を示す斜視図である。
【図５】図３中のＶ−Ｖ線に沿う断面図である。
【図６】本発明の第２の実施形態に係る電気接続箱のプロテクタを示す斜視図である。
【図７】本発明の第３の実施形態に係る電気接続箱のプロテクタを示す斜視図である。
【符号の説明】
【００７６】
１  電気接続箱
２  箱本体
３  プロテクタ
５  リレー（電気部品）
６  ヒューズ（電気部品）
７  ワイヤハーネス
８  装着部
１１  屈曲部
１２  第１固定部
１３  第２固定部
１４  固定部本体
１６  第２固定部本体
１７  結束バンド
２０  孔
２１  蓋体
２２  ヒンジ
【図１】
2006166621.tif 000003
【図２】
2006166621.tif 000004
【図３】
2006166621.tif 000005
【図４】
2006166621.tif 000006
【図５】
2006166621.tif 000007
【図６】
2006166621.tif 000008
【図７】
2006166621.tif 000009